(57)【要約】      （修正有）【課題】紙容器の搬送効率及び収納効率を高め、売り場面積を有効活用して経済的負担を軽減する。また、買物袋への収納を容易にし、収納スペースの無駄を低減させるとともに、ビニール袋が破損されてしまうことを防止する紙容器を提供する。【解決手段】内部に液体を収容する紙容器であって、断面が四角形をなす筒状の胴部２０と、胴部の下部開口部を封止する底部３０と、胴部の上部開口部を封止する頂部１０とを備え、頂部１０は、胴部を形成する４枚の本体シートと連設された４枚の頂部シート１１〜１４で形成され、頂部シート１１〜１４のうち、互いに対向する一対の第１頂部シート１２，１４には、胴部２０と連設する辺を底辺として、頂角が９０度に形成された二等辺三角形をなす頂部三角部１０１と、頂部三角部１０１の等辺を底辺とし、頂角が９０度に形成された二等辺三角形をなす一対の頂部折込部１０２，１０３とが各々形成される。【選択図】図２
0003191892.tif 000002
【実用新案登録請求の範囲】
【請求項１】
内部に液体を収容する紙容器であって、
断面が四角形をなす筒状の胴部と、
前記胴部の下部開口部を封止する底部と、
前記胴部の上部開口部を封止する頂部と
を備え、
前記頂部は、前記胴部を形成する４枚の本体シートと連設された４枚の頂部シートで形成され、
前記頂部シートのうち、互いに対向する一対の頂部シートには、前記胴部と連設する辺を底辺として、頂角が９０度に形成された二等辺三角形をなす三角部と、前記三角部の等辺を底辺とし、頂角が９０度に形成された二等辺三角形をなす一対の折込部とがそれぞれ形成されている
ことを特徴とする紙容器。
【請求項２】
前記一対の頂部シートの他方において、互いに対向する一対の第２頂部シートをさらに有し、
前記一対の第２頂部シートには、上端辺において外方に突出したツマミ部がそれぞれ形成されている
ことを特徴とする請求項１に記載の紙容器。
【請求項３】
複数の前記ツマミ部は、前記一対の第２頂部シートが貼り合わされた際、重なり合わない位置に配置されている
ことを特徴とする請求項１及び２に記載の紙容器。
【考案の詳細な説明】
【技術分野】
【０００１】
本考案は、液体を内部に収容する紙容器に関する。
【背景技術】
【０００２】
従来、紙容器は、牛乳やジュース、酒類など飲食物用の容器として利用されている。図６に示すように、一般的な紙容器９は、全体有底角筒状の紙容器本体９１を有し、容器本体の頂点９２が切妻屋根型に形成されたゲーブルトップ型の紙容器が多く用いられている。例えば、特許文献１に開示された紙容器は、ゲーブルトップ型の紙容器本体側面に、把持手段を設け、持ちやすくさせている。
【先行技術文献】
【特許文献】
【０００３】
【特許文献１】実用新案登録第３１５４８９６号
【考案の概要】
【考案が解決しようとする課題】
【０００４】
しかしながら、特許文献１に開示されたようなゲーブルトップ型の紙容器では、頂部が切妻屋根型に加工されているため、搬送時において多段積み重ねることができず、搬送効率が低いという問題があった。また、ゲーブルトップ型の紙容器では、図６に示すように置かれた場合、切妻屋根型に形成された内部空間には、液体が充填されておらず、紙容器全体の体積に対する液体の収納効率が低いという問題もある。
【０００５】
また、ゲーブルトップ型の紙容器では、売店などの陳列においても積み重ねることができないため、効率的に陳列することができず、その結果、売り場面積が増えて経済的負担が増大するという問題があった。さらに、顧客が紙容器を購入して買物袋に収納する場合には、ケーブルトップ型の紙容器の上部に他の物を積み重ねることができないため、商品を買物袋内に収納する作業が煩雑になるとともに、収納スペースの無駄が生じてしまう。さらに、買い物袋としてポリオレフィン等の材質で作られたビニール袋を用いた場合、紙容器の頂部が断面略三角形状となっているため、ビニール袋を傷つけ、ビニール袋が破損されてしまうという問題があった。
【０００６】
そこで、本考案は、上記のような問題を解決するものであり、紙容器の搬送効率及び収納効率を高めることできるとともに、売り場面積を有効活用して経済的負担を軽減することができる紙容器を提供することを目的とする。また、買物袋への収納を容易にし、収納スペースの無駄を低減させるとともに、ビニール袋が破損されてしまうことを防止できる紙容器を提供することを目的とする。
【課題を解決するための手段】
【０００７】
上記課題を解決するために、本考案は、内部に液体を収容する紙容器であって、断面が四角形をなす筒状の胴部と、前記胴部の下部開口部を封止する底部と、前記胴部の上部開口部を封止する頂部とを備え、前記頂部は、前記胴部を形成する４枚の本体シートと連設された４枚の頂部シートで形成され、前記頂部シートのうち、互いに対向する一対の頂部シートには、前記胴部と連設する辺を底辺として、頂角が９０度に形成された二等辺三角形をなす三角部と、前記三角部の等辺を底辺とし、頂角が９０度に形成された二等辺三角形をなす一対の折込部とがそれぞれ形成されていることを特徴としている。
【０００８】
このような考案によれば、頂部を形成する頂部シートのうち、互いに対向する一対の頂部シートには、前記胴部と連設する辺を底辺として、頂角が９０度に形成された二等辺三角形をなす三角部と、前記三角部の等辺を底辺とし、頂角が９０度に形成された二等辺三角形をなす一対の折込部とが形成されているので、この三角部と一対の折込部との連設部分（三角部の等辺）を折り目として折り曲げた際、一対の折込部が互いに重なり合うことなく、一対の折込部を三角部に重ね合わせて折り畳むことができる。
【０００９】
これにより、三角部を胴部の本体シートに対して直角に折り曲げた場合でも、一対の折込部を三角部と平行となるように折り畳むことができるとともに、一対の折込部と連設する他の頂部シートについても一対の頂部シートの上部に重ね合わせて折り畳むことが可能となる。その結果、頂部を平坦状に形成させることができるので、複数の紙容器を複数段積み重ねることを可能にして紙容器の搬送効率を高めることができるとともに、容器の体積に対して液体が収容されない空間を軽減させ、容器の収納効率を高めることができる。
【００１０】
さらに、本考案によれば、紙容器の頂部を平坦状に形成させるので、売店において紙容器を積み重ねて陳列することができ、その結果、売り場面積を有効活用して経済的負担を軽減することができる。さらに、顧客が紙容器を購入して買物袋に収納する場合であっても、紙容器の上部に他の物を積み重ねることができるので、商品を買物袋に収納する作業が容易にするとともに、収納スペースの無駄を低減させることができる。さらに、買い物袋としてビニール袋を用いた場合であっても、頂部が平坦となっているため、ビニール袋を傷つけることを防止でき、ビニール袋が破損されてしまう可能性を無くすことができる。
【００１１】
上記考案において、前記一対の頂部シートの他方において、互いに対向する一対の第２頂部シートをさらに有し、当該一対の第２頂部シートには、上端辺において外方に突出したツマミ部がそれぞれ形成されていることが好ましい。
【００１２】
ここで、従来の紙容器は、注ぎ口部分がのり等で強力に接合されている為、非常に開け難く、指先の力が弱い人にとっては紙容器の注ぎ口を開ける作業が困難であるという問題もある。本考案によれば、一対の第２頂部シートにツマミ部が突出されているので、このツマミ部をユーザーが持ち、これらをそれぞれ反対側に引っ張ることで、その引張応力を適切に接合部分に作用させることができる。これにより、指先の力が弱い人であっても、接合された第２頂部シートの接合部分を容易に引き剥がして上部開口部を開放させることができる。
【００１３】
上記考案において、複数の前記ツマミ部は、一対の第２頂部シートが貼り合わされた際、重なり合わない位置に配置されていることが好ましい。この場合には、ツマミ部は、重なり合わない位置に配置されていることから、ユーザーが上部開口部を開放させる際、それぞれの手でツマミ部を持ちやすくすることができ、より容易に上部開口部を開放させることができる。
【考案の効果】
【００１４】
以上述べたように、この考案によれば、紙容器の搬送効率及び収納効率を高めることができるとともに、売り場面積を有効活用して経済的負担を軽減することができる。また、この考案によれば、買物袋への収納を容易にし、収納スペースの無駄を低減させるとともに、ビニール袋が破損されてしまうことを防止できる。
【図面の簡単な説明】
【００１５】
【図１】実施形態に係る紙容器の全体構成を示す斜視図である。
【図２】実施形態に係る紙容器の展開図を示す平面図である。
【図３】実施形態に係る第１頂部シートの構成を示す平面図である。
【図４】実施形態に係るツマミ部の位置関係を示す斜視図である。
【図５】（ａ）及び（ｂ）は、実施形態に係る紙容器の開放動作を示す斜視図である。
【図６】従来例に係る紙容器の構成を示す斜視図である。
【考案を実施するための形態】
【００１６】
（紙容器の全体構成）
以下に添付図面を参照して、本考案に係るについて詳細に説明する。図１は、本実施形態に係る紙容器の全体構成を示す斜視図であり、図２は、本実施形態に係る紙容器の展開図を示す平面図である。また、図３は、本実施形態に係る第１頂部シートの構成を示す平面図であり、図４は、本実施形態に係るツマミ部の位置関係を示す斜視図である。図５（ａ）及び（ｂ）は、本実施形態に係る紙容器の開放動作を示す斜視図である。
【００１７】
本実施形態の紙容器１は、内部に液体を収容する紙容器１であって、図１に示すように、断面が四角形をなす筒状の胴部２０と、胴部の下部開口部を封止する底部３０と、胴部の上部開口部を封止する頂部１０とから構成されている。
【００１８】
具体的に、紙容器１は、図２に示すように、紙を主体とする一枚のシート部材によって形成され、シート部材の連設部分の折れ線に沿って折り曲げられ、組み立てられることで、図１に示すように略直方体に形成されている。なお、図２において、破線は折れ線を示しているものとする。
【００１９】
紙容器１を形成するシート部材は、例えば、紙層、紙層の表側に形成される表面層、紙層の裏面側に形成される裏面層が積層された構造となっている。このシート部材の表面には、所望の内容が印刷される。シート部材において、紙層は主強度材であり、具体的には、ミルク原紙、及び純白ロール紙、クラフト紙、板紙、コート紙、加工紙等の各種紙材を用いることができる。なお、紙層はこれらの紙材を複数積層したものであっても良い。
【００２０】
また、紙層に用いる紙材の坪量や厚みは特に限定しないが、坪量は主に８０〜６００ｇ／ｍ2であり、特に１００〜４５０ｇ／ｍ2のものを用いることが好ましく、厚みは主に１１０〜８６０μｍであり、特に１４０〜６４０μｍのものを用いることが好ましい。
【００２１】
一方、表面層、裏面層は、具体的には、ポリエチレン（ＰＥ）やポリプロピレン（ＰＰ）等のポリオレフィン系樹脂を用いることができ、ＰＥには高密度ポリエチレン（ＨＤＰＥ）、中密度ポリエチレン（ＭＤＰＥ）、低密度ポリエチレン（ＬＤＰＥ）、線状低密度ポリエチレン（ＬＬＤＰＥ）等を用いることができる。
【００２２】
また、表面層、裏面層は、ポリオレフィン系樹脂、ポリアミド系樹脂、エチレンビニルアルコール共重合樹脂（ＥＶＯＨ）、ポリエチレンテレフタレート（ＰＥＴ）樹脂、及びアルミ箔等の金属シート、アルミ蒸着ＰＥＴ等の金属や酸化物の蒸着シート、等を複数積層したものであっても良い。
【００２３】
なお、表面層、裏面層に用いる材料の厚みは特に限定しないが、厚みは主に１０〜１２０μｍであり、特に表面層は１０〜２０μｍ、裏面層は３０〜６０μｍのものを用いることが好ましい。
【００２４】
このようなシート部材で形成される紙容器１の胴部２０は、図２に示すように、破線で示す縦折線Ｌ１１〜Ｌ１４を介して連設される長方形状をなした本体シート２１、本体シート２２、本体シート２３、及び本体シート２４を有する。本体シート２１には、その側部に縦折線Ｌ１１を介して糊付けシート８１が連設され、本体シート２４の端部に当該糊付けシート８１が接合される。そして、この各本体シート２１〜２４及び糊付けシート８１が縦折線Ｌ１１〜Ｌ１４で折られ、糊付けシート８１が本体シート２４の端部に接合されることで図１に示す、断面が四角形をなす筒状の胴部２０が形成される。
【００２５】
なお、各シート部材を接合する手段としては、例えば、シート部材の表裏面が熱可塑性樹脂層の場合、熱溶着にて実施されるが、密閉状態を維持させることができればよく、接着剤等を用いて糊付けして接合してもよい。なお、以下に説明する接合処理についても同様である。
【００２６】
ここで、胴部２０には、底部３０及び頂部１０が組み立てられていない状態で、内部中空と連通する下部開口部と上部開口部とがそれぞれ形成され、底部３０及び頂部１０が組み立てられることで、下部開口部及び上部開口部がそれぞれ封止されるようになっている。
【００２７】
頂部１０は、胴部２０を構成する各本体シート２１〜２４の上端に位置する４枚の頂部シート１１〜１４、及び貼付シート４１〜４４から構成されている。具体的に、各本体シート２１〜２４の上端には、それぞれ頂部横折線Ｌ２１〜Ｌ２４を介して、長方形状をなした４枚の頂部シート１１〜１４が連設されている。
【００２８】
この４枚の頂部シート１１〜１４は、縦折線Ｌ１１〜Ｌ１４を介して連設されてもおり、頂部シート１１には、その側部に縦折線Ｌ１１を介して糊付けシート８２が連設され、頂部シート１４の端部に当該糊付けシート８２が接合可能となっている。このような構成により、縦折線Ｌ１１〜Ｌ１４を折り目として４枚の頂部シート１１〜１４を折り曲げ、糊付けシート８２を頂部シート１４の端部に接合させることで胴部２０と同様に断面が四角形をなす筒状が形成される。
【００２９】
さらに、各頂部シート１１〜１４は、頂部横折線Ｌ２１〜Ｌ２４を折り目として各本体シート２１〜２４のそれぞれに対して直角に折り曲げ可能となっている。具体的に、頂部１０を構成する４枚の頂部シート１１〜１４のうち、互いに対向する一対の第１頂部シート１２，１４には、本体シート２２，２４と連結する固定辺（頂部横折線Ｌ２２、Ｌ２４）の両隅部のそれぞれと、固定辺と対向する辺（横折線Ｌ３２，Ｌ３４）の中点１２ａ，１４ａとを結ぶように折込線Ｌ４１、Ｌ４２がそれぞれ設けられており、この折込線Ｌ４１、Ｌ４２を介して、頂部三角部１０１と、一対の頂部折込部１０２，１０３とが形成される。
【００３０】
ここで、頂部三角部１０１は、図３に示すように、胴部２０と連設する固定辺（頂部横折線Ｌ２２，Ｌ２４）を底辺として、頂角が９０度に形成された二等辺三角形をなしており、一対の頂部折込部１０２，１０３は、頂部三角部１０１の等辺（折込線Ｌ４１、Ｌ４２）を底辺とし、頂角が９０度に形成された二等辺三角形をなしている。すなわち、頂部折込部１０２，１０３の等辺の長さは、頂部三角部１０１の底辺から対頂点（中点１２ａ，１４ａ）までの長さと一致するとともに、頂部三角部１０１の底辺の長さの２分の１となるように形成されている。これにより、折込線Ｌ４１、Ｌ４２を折り目として第１頂部シート１２，１４を折り曲げることで、一対の頂部折込部１０２，１０３が互いに重なり合うことなく、一対の頂部折込部１０２，１０３を頂部三角部１０１に重ね合わせて折り畳むことができる。
【００３１】
一方、頂部シート１１〜１４の内、互いに対向配置される他方の第２頂部シート１１，１３は、縦折線Ｌ１１〜Ｌ１４を介してそれぞれの両端に第１頂部シート１２，１４が連設されており、上述したように第１頂部シート１２，１４が内側に折り曲げられた際、その第１頂部シート１２，１４の上部を覆うように、重ね合わせ可能となっている。また、第２頂部シート１１，１３には、下端辺（頂部横折線Ｌ２１、Ｌ２３）の一方の隅部から上辺（横折線Ｌ３１，Ｌ３３）の中点方向（斜め上方）に折込線Ｌ４４，Ｌ４５がそれぞれ形成されており、開封時には、当該折込線Ｌ４４，Ｌ４５を谷折りされて折り開かれるようになっている。
【００３２】
さらに、各頂部シート１１〜１４の上部には、横折線Ｌ３１〜Ｌ３４を介して、各貼付シート４１〜４４が連設されている。これら貼付シート４１〜４４は、長方形状をなしており、互いが貼り合わされて上部開口部を封止するシート部材である。具体的に、横折線Ｌ３２、Ｌ３４を介して一対の第１頂部シート１２，１４に連設される貼付シート４２，４４には、中央に折込線Ｌ４６，Ｌ４７が形成されており、第１頂部シート１２，１４が内側に折り込まれると、貼付シート４２，４４がその折込線Ｌ４６，Ｌ４７に沿って折り畳まれ、各貼付シート４２，４４の左右が重なり合うようになっている。そして、半分に折り畳まれて左右が重なり合った各貼付シート４２，４４は、糊付け等されて接合されるようになっている。
【００３３】
一方、一対の第２頂部シート１１，１３に連設される貼付シート４１，４３は、第２頂部シート１１，１３が折り畳まれた際、半分に折り畳まれた貼付シート４２，４４を外側から貼付シート４１，４３で挟み込むように重なり合うようになっている。
【００３４】
なお、本実施形態において、貼付シート４１，４３は、貼付シート４２，４４よりも上下幅が広くなっており、折り畳まれた際、下部部分は、半分に折り畳まれた貼付シート４２，４４と重なり合い、上部部分は貼付シート４１，４３同士が重なり合うようになっている。そして、貼付シート４１，４３の下部部分と貼付シート４２，４４とが重なり合う部分は、糊付け処理等がされて接合される。また、貼付シート４１，４３の上部部分も互いが重なり合う部分は、糊付け処理等がされて接合される。このように、各頂部シート１１〜１４、及び貼付シート４１〜４４が折畳まれ、重なり合う部分が接合処理されることで、頂部１０の密閉状態が維持されるようになっている。
【００３５】
第２頂部シート１１，１３の上端に設けられた貼付シート４１，４３で、貼付シート４２，４４を挟むように重ね合わせて接合することで、図４に示すように、貼付シート４１，４３が起立した状態となる。その後、起立された貼付シート４１，４３を頂部横折線Ｌ２１、Ｌ２３を折り目として一方に折り畳み、第２頂部シート１１，１３のいずれかと重ね合わせる。本実施形態では、図１に示すように、貼付シート４３と第２頂部シート１３とが接触するように折り畳まれている。そして、貼付シート４３と第２頂部シート１３との重ね合わされた部分は、糊付け処理等がされて接合される。
【００３６】
さらに、本実施形態では、貼付シート４１，４３の上端辺には、略長方形状のシート部材であって、外方に突出した同形状のツマミ部５１，５２がそれぞれ形成されている。本実施形態において、ツマミ部５１，５２は、各貼付シート４１，４３と一体形成されている。このツマミ部５１，５２は、複数配置されており、各ツマミ部５１，５２は、貼付シート４１，４３が貼り合わされた際、重なり合わない位置に配置されている。
【００３７】
具体的には、貼付シート４１には、縦折線Ｌ１２側の端部から１つのツマミ部５１が形成され、さらに、ツマミ部５１の幅を有する隙間を空けて、もう１つのツマミ部５１が形成されている。一方、貼付シート４３には、縦折線Ｌ１３側の端部から、先ず、ツマミ部５２の幅を有する隙間を空けて、１つのツマミ部５２が形成され、さらに、ツマミ部５２の幅を有する隙間を空けて、もう１つのツマミ部５２が形成されている。ここで、ツマミ部５１及び５２は、同形状となっており、図１及び図４に示すように、貼付シート４１，４３を貼り合わせた場合、互いのツマミ部５１，５２が重なり合わないように配置される。
【００３８】
このようなツマミ部５１，５２をユーザーが両手で掴み、それぞれ反対側に引っ張ることで、その引張応力が貼付シート４２の接合部分に伝達され、図５（ａ）及び（ｂ）に示すように、接合された第２頂部シートの接合部分を容易に引き剥がし、上部開口部２を開放させることができる。
【００３９】
一方、底部３０は、胴部２０を構成する各本体シート２１〜２４の下端に位置する４枚の底部シート３１〜３４から構成されている。具体的に、各本体シート２１〜２４の下端には、それぞれ底部横折線Ｌ５１〜Ｌ５４を介して、４枚の底部シート３１〜３４が連設されている。
【００４０】
この４枚の底部シート３１〜３４は、縦折線Ｌ１１〜Ｌ１４を介して連設されてもおり、底部シート３１には、その側部に縦折線Ｌ１１を介して糊付けシート８３が連設され、底部シート３４の端部に当該糊付けシート８３が接合可能となっている。このような構成により、縦折線Ｌ１１〜Ｌ１４を折り目として４枚の底部シート３１〜３４を折り曲げ、糊付けシート８３を底部シート３４の端部に接合させることで胴部２０と同様に断面が四角形をなす筒状が形成される。
【００４１】
さらに、各底部シート３１〜３４は、底部横折線Ｌ５１〜Ｌ５４を折り目として各本体シート２１〜２４のそれぞれに対して直角に折り曲げ可能となっている。具体的に、底部３０を構成する４枚の底部シート３１〜３４のうち、互いに対向する一対の第１底部シート３２，３４には、本体シート２２，２４と連結する固定辺（底部横折線Ｌ５２、Ｌ５４）の両隅部のそれぞれと、固定辺と対向する下端辺の中点３２ａ，３４ａとを結ぶように折込線Ｌ６３，Ｌ６４が設けられており、この折込線Ｌ６３，Ｌ６４を介して、底部三角部２０１と、一対の底部折込部２０２，２０３とが形成される。
【００４２】
ここで、底部三角部２０１は、胴部２０と連設する辺（底部横折線Ｌ５２、Ｌ５４）を底辺として、頂角が９０度に形成された逆二等辺三角形をなしており、一対の底部折込部２０２，２０３は、底部三角部２０１の等辺を底辺とし、頂角が９０度に形成された二等辺三角形をなしている。すなわち、底部折込部２０２，２０３の等辺の長さは、底部三角部２０１の底辺から対頂点（中点３２ａ，３４ａ）までの長さと一致するとともに、底部三角部２０１の底辺の長さの２分の１となるように形成されている。これにより、折込線Ｌ６３，Ｌ６４を折り目として第１底部シート３２，３４を内側に折り曲げることで、一対の底部折込部２０２，２０３が互いに重なり合うことなく、一対の底部折込部２０２，２０３を底部三角部２０１に重ね合わせて折り畳むことができる。そして、底部三角部２０１と、一対の底部折込部２０２，２０３とが重なり合う部分は、糊付け処理等がされて接合される。
【００４３】
一方、底部シート３１〜３４の内、互いに対向配置される他方の第２底部シート３１，３３には、それぞれの両端に第１底部シート３２，３４が連設されており、上述したように第１底部シート３２，３４が内側に折り曲げられた際、その第１底部シート３２，３４の上部を覆うように、重ね合わせ可能となっている。
【００４４】
さらに、各底部シート３１，３２，３４の下端辺には、横折線Ｌ６１，Ｌ６２，Ｌ６５を介して、各貼付シート３５，３６，３７が連設されている。これら貼付シート３５，３６，３７は、互いが貼り合わされて下部開口部を封止するシート部材である。
【００４５】
具体的に、貼付シート３５は、横折線Ｌ６１を介して底部シート３１と連設されており、底部シート３１の左右幅と同じ幅を有している。貼付シート３６は、横折線Ｌ６２を介して底部シート３２と連設されており、底部シート３２の左右幅の２分の１の幅を有し、貼付シート３５側（底部折込部２０２の下部）に設けられている。また、貼付シート３７は、横折線Ｌ６５を介して底部シート３４と連設されており、底部シート３４の左右幅の２分の１の幅を有し、組み立て時における貼付シート３５側（底部折込部２０３の下部）に設けられている。
【００４６】
このような構成により、第１底部シート３２，３４を内側に折り畳むと、貼付シート３６，３７が、第２底部シート３３の一部を上部から覆うように折り畳まれる。そして、第２底部シート３３と第１底部シート３２，３４とが重なり合う部分は、糊付け処理等がされて接合される。さらに、貼付シート３５がその貼付シート３６，３７を覆うように折り畳まれ、糊付け処理等がされて接合される。なお、本実施形態において、貼付シート３５は、貼付シート３６，３７よりも上下幅が広くなっており、底部シート３３の一部と重なり合うようになっている。そして、これらの各底部シート３１〜３４と、貼付シート３５〜３７の重複部分は接合処理されて、底部３０は密閉状態が維持されるようになっている。
【００４７】
（組み立て動作）
このような構成を有する紙容器１の組み立て動作について説明する。紙容器１を組み立てる際には、先ず、各本体シート２１〜２４及び糊付けシート８１を縦折線Ｌ１１〜Ｌ１４で折り曲げ、糊付けシート８１を本体シート２４の端部に接合させて断面が四角形をなす筒状の胴部２０を形成させる。
【００４８】
次に底部３０を形成させる。ここでは、初めに、底部シート３２，３４を底部横折線Ｌ５２、Ｌ５４で山折りにするとともに、折込線Ｌ６３，Ｌ６４で谷折りして、底部シート３２，３４を容器内側に折り畳む。この際、それぞれの底部三角部２０１，２０１は、二等辺三角形をなし、また、一対の底部折込部２０２，２０３については、底部三角部２０１の等辺を底辺とし、頂角が９０度に形成された二等辺三角形をなしているので、一対の底部折込部２０２，２０３が互いに重なり合うことなく、一対の底部折込部２０２，２０３を底部三角部２０１，２０１に重ね合わせて直角に折り畳むことができる。そして、底部三角部２０１と、一対の底部折込部２０２，２０３とが重なり合う部分を糊付け処理等で接合させる。
【００４９】
その後、一対の底部折込部２０２，２０３と連設する第２底部シート３１，３３を底部横折線Ｌ５１、Ｌ５３で山折りにし、一対の底部シート３２，３４の上部に重ね合わせるように折り畳む。この際、第２底部シート３３の一部を貼付シート３６，３７が覆うように折り畳む、さらに、その貼付シート３６，３７を貼付シート３５が上部から覆うように折り畳む。なお、各底部シート３１〜３４と、貼付シート３５〜３７の重なり合う部分については、折り畳む処理が実行される度に接合処理が実行される。これにより底面が平坦状で密閉された底部３０を形成される。
【００５０】
次いで、頂部１０を形成させる。ここでは、先ず、第１頂部シート１２，１４を頂部横折線Ｌ２２、Ｌ２４で山折りにするとともに、折込線Ｌ４１、Ｌ４２で谷折りして、第１頂部シート１２，１４を容器内側に折り畳む。この際、頂部三角部１０１は、二等辺三角形をなし、また、一対の頂部折込部１０２，１０３についても、頂部三角部１０１の等辺を底辺とし、頂角が９０度に形成された二等辺三角形をなしているので、一対の頂部折込部１０２，１０３が互いに重なり合うことなく、一対の頂部折込部１０２，１０３を頂部三角部１０１に重ね合わせて直角に折り畳むことができる。
【００５１】
第１頂部シート１２，１４を容器内側に折り畳むと、一対の第１頂部シート１２，１４の上端に設けられた貼付シート４２，４４は、折込線Ｌ４６，Ｌ４７でそれぞれ折り曲げられ、各貼付シート４２，４４は左右が貼り合わされるように折り込まれる。その後、一対の頂部折込部１０２，１０３と連設する他の第２頂部シート１１，１３を頂部横折線Ｌ２１、Ｌ２３で山折りにし、一対の第１頂部シート１２，１４の上部に重ね合わせるように折り畳む。
【００５２】
その後、第２頂部シート１１，１３の上端に設けられた貼付シート４１，４３で、貼付シート４２，４４を挟むように重ね合わせて接合することで、図４に示すように、貼付シート４１，４３が起立した状態とさせる。その後、起立された貼付シート４１，４３を頂部横折線Ｌ２１、Ｌ２３を折り目として一方に折り畳み、第２頂部シート１１，１３のいずれかと重ね合わせる。本実施形態では、貼付シート４３と第２頂部シート１３とが接触するように折り畳む。そして、貼付シート４３と第２頂部シート１３との重ね合わされた部分を糊付けして接合させることで、図１に示すような略直方体の紙容器１が形成される。なお、各頂部シート１１〜１４と、貼付シート４１〜４４の重複部分については、折り畳む処理を行う度にそれぞれの接触面に対して接合処理が実行され、紙容器１の頂部１０は密閉状態となる。
【００５３】
次いで、上部開口部が頂部１０によって封止された状態から、注ぎ口となる開口部を形成する動作について説明する。先ず、図１に示すような略直方体の紙容器１に対して、接合された貼付シート４１，４３を掴み、図４に示すように、接合状態を解除させ、横折線Ｌ３１，Ｌ３３を折り目として起立させる。次いで、ツマミ部５１，５２をユーザーが両手で掴み、それぞれを反対側に引っ張り、図５（ａ）に示すように、頂部シート１２側における第２頂部シートの接合部分を引き剥がす。そして、貼付シート４２の折込線Ｌ４６を中心として、貼付シート４２を外方に向けて引っ張ることで、貼付シート４２と、貼付シート４１，４３との接合部分を引き剥がし、図５（ｂ）に示すように、内部と連通する上部開口部２を開放させる。
【００５４】
（作用・効果）
このような本実施形態によれば、頂部１０を形成する頂部シート１１〜１４のうち、互いに対向する一対の第１頂部シート１２，１４には、胴部２０と連設する辺を底辺として、頂角が９０度に形成された二等辺三角形をなす頂部三角部１０１と、頂部三角部１０１の等辺を底辺とし、頂角が９０度に形成された二等辺三角形をなす一対の頂部折込部１０２，１０３とが形成されているので、この頂部三角部１０１と一対の頂部折込部１０２，１０３との連設部分（三角部の等辺）を折り目として折り曲げた際、一対の頂部折込部１０２，１０３が互いに重なり合うことなく、一対の頂部折込部１０２，１０３を頂部三角部１０１に重ね合わせて折り畳むことができる。
【００５５】
これにより、頂部三角部１０１を胴部２０の本体シート２１〜２４に対して折り曲げた際、一対の頂部折込部１０２，１０３を頂部三角部１０１と平行となるように折り畳むことができるとともに、一対の頂部折込部１０２，１０３と連設する第２頂部シート１１，１３についても、一対の第１頂部シート１２，１４の上部に重ね合わせて折り畳むことが可能となる。その結果、頂部１０を平坦状に形成させることができるので、複数の紙容器１を複数段積み重ねることを可能として紙容器１の搬送効率を高めることができるとともに、紙容器１の体積に対して液体が収容されない空間を軽減させ、紙容器１の収納効率を高めることができる。具体的には、従来の紙容器のように、頂部が切妻屋根型となったものより、約２％頂部の空間（高さ）を減少させることができ、輸送車に従来よりも約１．２倍積み重ねることができる。
【００５６】
また、本実施形態によれば、紙容器１の頂部１０を平坦状に形成させるので、売店において、積み重ねて陳列することができ、売り場面積を有効活用して、経済的負担を軽減することができる。さらに、顧客が紙容器１を購入して買物袋に収納する場合であっても、紙容器１の上部に他の物を積み重ねることができるので、商品を買物袋に収納する作業が容易にするとともに、収納スペースの無駄を低減させることができる。さらに、買い物袋としてビニール袋を用いた場合であっても、頂部１０が平坦となっているため、ビニール袋を傷つけることを防止でき、ビニール袋が破損されてしまう可能性を無くすことができる。
【００５７】
また、本実施形態によれば、一対の第２頂部シート１１，１３には、上端辺において外方に突出したツマミ部５１，５２がそれぞれ形成されているので、このツマミ部５１，５２をユーザーが持ち、これらをそれぞれ反対側に引っ張ることで、接合された貼付シート４１，４３の接合部分を容易に引き剥がして上部開口部２を開放させることができる。すなわち、従来の紙容器は、注ぎ口における接合部分にのりが強力に付いている為、非常に開け難く、指先の力が弱い人にとっては紙容器の注ぎ口を開ける作業が困難であった。しかしながら、本実施形態によれば、ツマミ部５１，５２を掴んた状態で引っ張ることで、その引張応力を適切に接合部分に作用させることができるので、指先の力が弱い人でも、貼付シート４１，４３の接合部分を容易に引き剥がして上部開口部２を開放させることができる。
【００５８】
さらに、本実施形態によれば、複数のツマミ部５１，５２は、封止時において、互いに重なり合わない位置に配置されているので、ユーザーが上部開口部２を開放させる際、それぞれの手でツマミ部５１，５２を持ちやすくすることができ、より容易に上部開口部２を開放させることができる。
【００５９】
（変更例）
なお、上述した実施形態の説明は、本考案の一例である。このため、本考案は上述した実施形態に限定されることなく、本考案に係る技術的思想を逸脱しない範囲であれば、設計等に応じて種々の変更が可能である。
【００６０】
例えば、上述した、ツマミ部５１，５２の形成される数は４つに限定するものではなく、少なくとも貼付シート４１及び貼付シート４３にそれぞれ１つ形成されていればよい。また、例えば、ツマミ部のような部材を貼付シート４２側に形成させ、貼付シート４２と、貼付シート４１，４３との接合状態を剥がす際に用いることもできる。また、ツマミ部５１，５２は、各貼付シート４１，４３と一体形成されていたが、例えば、ツマミ部５１，５２を貼付シート４１，４３にのり等で接合させる構成であってもよい。
【００６１】
さらに、紙容器１の大きさ、形状は、これに限定するものではなく、また、内部に収納する液体は、牛乳やジュース、酒類、液体調味料など飲食物用のほか、シャンプー、リンス、トリートメントなどの生活用品、または、塗料等の産業用製品であってもよく、さらに、ペースト状、ゲル状、ゼリー状もしくはクリーム状の可塑性あるいは凖液状物であってもよい。
【符号の説明】
【００６２】
Ｌ１１〜Ｌ１４…縦折線
Ｌ２１〜Ｌ２４…頂部横折線
Ｌ３１〜Ｌ３４…横折線
Ｌ５１〜Ｌ５４…底部横折線
Ｌ６１，Ｌ６２，Ｌ６５…横折線
Ｌ６３，Ｌ６４…折込線
１…紙容器
２…上部開口部
１０…頂部
１１〜１４…頂部シート
１１，１３…第２頂部シート
１２，１４…第１頂部シート
２０…胴部
２１〜２４…本体シート
３０…底部
３１〜３４…底部シート
３１，３３…第２底部シート
３２，３４…第１底部シート
３５〜３７…貼付シート
３６，３７…貼付シート
４１…貼付シート
４１〜４４…貼付シート
５１，５２…ツマミ部
８１〜８３…糊付けシート
１０１…頂部三角部
１０２，１０３…頂部折込部
２０１…底部三角部
２０２，２０３…底部折込部
【図１】
0003191892.tif 000003
【図２】
0003191892.tif 000004
【図３】
0003191892.tif 000005
【図４】
0003191892.tif 000006
【図５】
0003191892.tif 000007
【図６】
0003191892.tif 000008